(57)【特許請求の範囲】
【請求項１】
アンテナにより受信され、ケーブルを介して入力される衛星からの信号である第１の信号を復調する受信装置において、
前記ケーブルを介して入力される前記第１の信号のレベルを検出すると共に、前記第１の信号を復調する復調手段と、
前記復調手段により復調された前記第１の信号のエラーレートを検出し、前記第１の信号のエラーレートを検出することができない場合、前記第１の信号のエラーレートを検出することができないことを示すアンロック信号を検出する検出手段と、
前記検出手段により、復調された前記第１の信号のエラーレートが検出された場合、検出された前記第１の信号のエラーレートに基づいて、前記アンテナの方向に対応する所定の告知を行うための信号である第２の信号を生成し、前記検出手段により、前記アンロック信号が検出された場合、検出された前記第１の信号のレベルに基づいて、前記アンテナの方向に対応する所定の告知を行うための信号である第２の信号を生成する生成手段と、
前記第２の信号を、前記ケーブルを介して出力する出力手段と
を備えることを特徴とする受信装置。
【請求項２】
前記アンテナは、受信した前記第１の信号を所定の周波数の中間周波信号に変換して出力するコンバータを備える
ことを特徴とする請求項１に記載の受信装置。
【請求項３】
前記出力手段は、前記第１の信号のエラーレートに基づいて、前記第２の信号が生成された場合、前記第２の信号で、前記復調手段により復調された前記第１の信号に含まれるデジタルオーディオデータをD/A変換するときに用いるクロック信号を変調して、前記ケーブルに出力する
ことを特徴とする請求項１に記載の受信装置。
【請求項４】
前記生成手段は、前記第２の信号である、前記アンテナの方向に対応して周期を変化させる信号を生成する
ことを特徴とする請求項１に記載の受信装置。
【請求項５】
アンテナにより受信され、ケーブルを介して受信装置に入力される衛星からの信号である第１の信号を復調する信号復調方法において、
前記ケーブルを介して入力される前記第１の信号のレベルを検出し、
前記第１の信号を復調し、
復調した前記第１の信号のエラーレートを検出し、
前記第１の信号のエラーレートを検出することができない場合、前記第１の信号のエラーレートを検出することができないことを示すアンロック信号を検出し、
復調した前記第１の信号のエラーレートを検出した場合、検出した前記第１の信号のエラーレートに基づいて、前記アンテナの方向に対応する所定の告知を行うための信号である第２の信号を生成し、
前記アンロック信号を検出した場合、検出した前記第１の信号のレベルに基づいて、前記アンテナの方向に対応する所定の告知を行うための信号である第２の信号を生成し、
前記第２の信号を、前記ケーブルを介して出力する
ことを特徴とする信号復調方法。
【請求項６】
所定の方向より伝送される信号である第１の信号を受信し、受信した前記第１の信号をケーブルを介して受信装置に出力するアンテナ装置であって、
前記ケーブルを介して入力される前記第１の信号のレベルを検出すると共に、前記第１の信号を復調する復調手段と、
前記復調手段により復調された前記第１の信号のエラーレートを検出し、前記第１の信号のエラーレートを検出することができない場合、前記第１の信号のエラーレートを検出することができないことを示すアンロック信号を検出する検出手段と、
前記検出手段により、復調された前記第１の信号のエラーレートが検出された場合、検出された前記第１の信号のエラーレートに基づいて、前記アンテナの方向に対応する所定の告知を行うための信号である第２の信号を生成し、前記検出手段により、前記アンロック信号が検出された場合、検出された前記第１の信号のレベルに基づいて、前記アンテナの方向に対応する所定の告知を行うための信号である第２の信号を生成する生成手段と、
前記第２の信号を、前記ケーブルを介して出力する出力手段と
を備える前記受信装置から前記第２の信号が供給されるアンテナ装置において、
前記ケーブルを介して前記受信装置より供給される、前記第２の信号を抽出する抽出手段と、
前記抽出手段により抽出された前記第２の信号に対応して所定の告知を行う告知手段と
を備えることを特徴としたアンテナ装置。
【請求項７】
受信した前記第１の信号を所定の周波数の中間周波信号に変換して出力するコンバータを備える
ことを特徴とする請求項６に記載のアンテナ装置。
【請求項８】
前記抽出手段と前記告知手段は、前記コンバータの近傍に配置されている
ことを特徴とする請求項７に記載のアンテナ装置。
【請求項９】
前記抽出手段と前記告知手段は、前記受信装置と前記コンバータの間の前記ケーブルの途中に配置されている
ことを特徴とする請求項７に記載のアンテナ装置。
【請求項１０】
所定の方向より伝送される信号である第１の信号を受信し、受信した前記第１の信号をケーブルを介して受信装置に出力するアンテナ装置であって、
前記ケーブルを介して入力される前記第１の信号のレベルを検出すると共に、前記第１の信号を復調する復調手段と、
前記復調手段により復調された前記第１の信号のエラーレートを検出し、前記第１の信号のエラーレートを検出することができない場合、前記第１の信号のエラーレートを検出することができないことを示すアンロック信号を検出する検出手段と、
前記検出手段により、復調された前記第１の信号のエラーレートが検出された場合、検出された前記第１の信号のエラーレートに基づいて、前記アンテナの方向に対応する所定の告知を行うための信号である第２の信号を生成し、前記検出手段により、前記アンロック信号が検出された場合、検出された前記第１の信号のレベルに基づいて、前記アンテナの方向に対応する所定の告知を行うための信号である第２の信号を生成する生成手段と、
前記第２の信号を、前記ケーブルを介して出力する出力手段と
を備える前記受信装置から前記第２の信号が供給されるアンテナ装置の方向を調整するアンテナ方向調整方法において、
前記ケーブルを介して前記受信装置より供給される、前記第２の信号を抽出し、
抽出した前記第２の信号に対応して所定の告知を行う
ことを特徴とするアンテナ方向調整方法。
【請求項１１】
所定の方向より伝送される第１の信号を受信し、受信した前記第１の信号をケーブルを介して出力するアンテナと、
前記ケーブルを介して入力される前記アンテナからの前記第１の信号を復調する受信装置と
を備える受信システムにおいて、
前記ケーブルを介して入力される前記第１の信号のレベルを検出すると共に、前記第１の信号を復調する復調手段と、
前記復調手段により復調された前記第１の信号のエラーレートを検出し、前記第１の信号のエラーレートを検出することができない場合、前記第１の信号のエラーレートを検出することができないことを示すアンロック信号を検出する検出手段と、
前記検出手段により、復調された前記第１の信号のエラーレートが検出された場合、検出された前記第１の信号のエラーレートに基づいて、前記アンテナの方向に対応する所定の告知を行うための信号である第２の信号を生成し、前記検出手段により、前記アンロック信号が検出された場合、検出された前記第１の信号のレベルに基づいて、前記アンテナの方向に対応する所定の告知を行うための信号である第２の信号を生成する生成手段と、
前記第２の信号を、前記ケーブルを介して出力する出力手段と
前記ケーブルを介して前記出力手段より供給される、前記第２の信号を抽出する抽出手段と、
前記抽出手段により抽出された前記第２の信号に対応して所定の告知を行う告知手段と
を備えることを特徴とした受信システム。
【請求項１２】
所定の方向より伝送される第１の信号を受信し、受信した前記第１の信号を、ケーブルを介して出力するアンテナと、
前記ケーブルを介して入力される前記アンテナからの前記第１の信号を復調する受信装置と
を備える受信システムにおける前記アンテナの方向を調整するアンテナ方向調整方法において、
前記ケーブルを介して入力される前記第１の信号のレベルを検出し、
前記第１の信号を復調し、
復調した前記第１の信号のエラーレートを検出し、
前記第１の信号のエラーレートを検出することができない場合、前記第１の信号のエラーレートを検出することができないことを示すアンロック信号を検出し、
復調した前記第１の信号のエラーレートを検出した場合、検出した前記第１の信号のエラーレートに基づいて、前記アンテナの方向に対応する所定の告知を行うための信号である第２の信号を生成し、
前記アンロック信号を検出した場合、検出した前記第１の信号のレベルに基づいて、前記アンテナの方向に対応する所定の告知を行うための信号である第２の信号を生成し、
前記第２の信号を、前記ケーブルを介して出力し、
前記ケーブルを介して供給される、前記第２の信号を抽出し、
抽出した前記第２の信号に対応して所定の告知を行う
ことを特徴とするアンテナ方向調整方法。
【発明の詳細な説明】
【０００１】
【産業上の利用分野】
本発明は受信装置、信号復調方法、アンテナ装置、受信システム、およびアンテナ方向調整方法に関し、特に衛星を介して行われる放送の電波を受信するアンテナの方向を調整する場合に用いて好適な、受信装置、信号復調方法、アンテナ装置、受信システム、およびアンテナ方向調整方法に関する。
【０００２】
【従来の技術】
最近、通信衛星あるいは放送衛星などの衛星を介して行われる放送を受信するシステムが普及しつつある。このシステムにおいては、各衛星から伝送されてくる電波をアンテナで正しく受信することができるように、アンテナの方向を調整する必要がある。
【０００３】
特公昭５９−４７８８３号公報には、このようなアンテナの方向を調整するための発明が開示されている。
【０００４】
すなわち、同公報記載の発明においては、図５に示すように、衛星１より伝送されてくる電波を、パラボラアンテナ１１で受信するようになされている。そしてパラボラアンテナ１１で受信した結果得られた信号が、屋外用コンバータ部１２で所定の中間周波信号に変換され、ケーブル１５を介して家屋２１内の屋内用コンバータ部３１に供給されるようになされている。屋内用コンバータ部３１は、入力された中間周波信号を復調し、復調結果をテレビジョン受像機３２に出力している。
【０００５】
またパラボラアンテナ１１は、衛星１に対して正しく指向させることができるように、方向調整部１３を調整して、パラボラアンテナ１１の方向を調整することができるようになされている。そして、衛星１に対してパラボラアンテナ１１が正しく指向されたか否かを、アンテナを方向調整する作業を行っている者が容易に理解できるように、屋外用コンバータ部１２には、メータ１４が設けられている。
【０００６】
すなわち、屋外用コンバータ部１２においては、図６に示すように、パラボラアンテナ１１で受信した信号からバンドパスフィルタ（ＢＰＦ）４１が所定の周波数帯域の信号を抽出するようになされている。そして、バンドパスフィルタ４１より出力された信号は、増幅器４２で増幅された後、周波数変換器４３に入力され、所定の中間周波信号（ＩＦ信号）に変換される。周波数変換器４３が出力したＩＦ信号は、中間周波増幅器４４により増幅された後、信号分岐回路４５からケーブル１５を介して屋内用コンバータ部３１に供給される。
【０００７】
信号分岐回路４５は、中間周波増幅器４４が出力したＩＦ信号の一部を、検波回路４６に出力する。検波回路４６は、このＩＦ信号を検波し、ＩＦ信号のレベルに対応する直流信号を出力する。検波回路４６の出力は、直流増幅器４７により増幅された後、メータ１４に供給される。
【０００８】
その結果、メータ１４には、ＩＦ信号のレベルが表示されることになり、パラボラアンテナ１１の方向を調整している者は、メータ１４の表示を見て、ＩＦ信号のレベルが最大値を示す方向にパラボラアンテナ１１を指向させる。
【０００９】
このように、メータ１４を屋外用コンバータ部１２に設けることで、調整者が一人で簡単に、パラボラアンテナ１１を衛星１に対して正しい方向に指向させる調整操作を行うことができる。
【００１０】
【発明が解決しようとする課題】
しかしながら、このような従来の装置においては、屋外用コンバータ部１２において、ＩＦ信号のレベルを検出するようにしているので、屋外用コンバータ部１２の構成が複雑となり、高価となる課題があった。
【００１１】
また、ＩＦ信号のレベルを検出するようにしているので、衛星１が複数個存在する場合、どの衛星からの電波を受信しているのかが分からず、誤って、異なる放送システムの衛星に対してパラボラアンテナ１１を指向させてしまう恐れがあった。
【００１２】
本発明はこのような状況に鑑みてなされたものであり、簡単な構成で、安価な装置を実現することができるようにするものである。また、複数の衛星が存在する場合であっても、その中の所定の衛星に対して指向させることができるようにするものである。
【００１３】
【課題を解決するための手段】
請求項１に記載の受信装置は、ケーブルを介して入力される第１の信号のレベルを検出すると共に、第１の信号を復調する復調手段と、復調手段により復調された第１の信号のエラーレートを検出し、第１の信号のエラーレートを検出することができない場合、第１の信号のエラーレートを検出することができないことを示すアンロック信号を検出する検出手段と、検出手段により、復調された第１の信号のエラーレートが検出された場合、検出された第１の信号のエラーレートに基づいて、アンテナの方向に対応する所定の告知を行うための信号である第２の信号を生成し、検出手段により、アンロック信号が検出された場合、検出された第１の信号のレベルに基づいて、アンテナの方向に対応する所定の告知を行うための信号である第２の信号を生成する生成手段と、第２の信号を、ケーブルを介して出力する出力手段とを備えることを特徴とする。
【００１４】
請求項５に記載の信号復調方法は、ケーブルを介して入力される第１の信号のレベルを検出し、第１の信号を復調し、復調した第１の信号のエラーレートを検出し、第１の信号のエラーレートを検出することができない場合、第１の信号のエラーレートを検出することができないことを示すアンロック信号を検出し、復調した第１の信号のエラーレートを検出した場合、検出した第１の信号のエラーレートに基づいて、アンテナの方向に対応する所定の告知を行うための信号である第２の信号を生成し、アンロック信号を検出した場合、検出した第１の信号のレベルに基づいて、アンテナの方向に対応する所定の告知を行うための信号である第２の信号を生成し、第２の信号を、ケーブルを介して出力することを特徴とする。
【００１５】
請求項６に記載のアンテナ装置は、所定の方向より伝送される信号である第１の信号を受信し、受信した第１の信号をケーブルを介して受信装置に出力するアンテナ装置であって、ケーブルを介して入力される第１の信号のレベルを検出すると共に、第１の信号を復調する復調手段と、復調手段により復調された第１の信号のエラーレートを検出し、第１の信号のエラーレートを検出することができない場合、第１の信号のエラーレートを検出することができないことを示すアンロック信号を検出する検出手段と、検出手段により、復調された第１の信号のエラーレートが検出された場合、検出された第１の信号のエラーレートに基づいて、アンテナの方向に対応する所定の告知を行うための信号である第２の信号を生成し、検出手段により、アンロック信号が検出された場合、検出された第１の信号のレベルに基づいて、アンテナの方向に対応する所定の告知を行うための信号である第２の信号を生成する生成手段と、第２の信号を、ケーブルを介して出力する出力手段とを備える受信装置から第２の信号が供給されるアンテナ装置において、ケーブルを介して受信装置より供給される、第２の信号を抽出する抽出手段と、抽出手段により抽出された第２の信号に対応して所定の告知を行う告知手段とを備えることを特徴とする。
【００１６】
請求項１０に記載のアンテナ方向調整方法は、所定の方向より伝送される信号である第１の信号を受信し、受信した第１の信号をケーブルを介して受信装置に出力するアンテナ装置であって、ケーブルを介して入力される第１の信号のレベルを検出すると共に、第１の信号を復調する復調手段と、復調手段により復調された第１の信号のエラーレートを検出し、第１の信号のエラーレートを検出することができない場合、第１の信号のエラーレートを検出することができないことを示すアンロック信号を検出する検出手段と、検出手段により、復調された第１の信号のエラーレートが検出された場合、検出された第１の信号のエラーレートに基づいて、アンテナの方向に対応する所定の告知を行うための信号である第２の信号を生成し、検出手段により、アンロック信号が検出された場合、検出された第１の信号のレベルに基づいて、アンテナの方向に対応する所定の告知を行うための信号である第２の信号を生成する生成手段と、第２の信号を、ケーブルを介して出力する出力手段とを備える受信装置から第２の信号が供給されるアンテナ装置の方向を調整するアンテナ方向調整方法において、ケーブルを介して受信装置より供給される、第２の信号を抽出し、抽出した第２の信号に対応して所定の告知を行うことを特徴とする。
【００１７】
請求項１１に記載の受信システムは、ケーブルを介して入力される第１の信号のレベルを検出すると共に、第１の信号を復調する復調手段と、復調手段により復調された第１の信号のエラーレートを検出し、第１の信号のエラーレートを検出することができない場合、第１の信号のエラーレートを検出することができないことを示すアンロック信号を検出する検出手段と、検出手段により、復調された第１の信号のエラーレートが検出された場合、検出された第１の信号のエラーレートに基づいて、アンテナの方向に対応する所定の告知を行うための信号である第２の信号を生成し、検出手段により、アンロック信号が検出された場合、検出された第１の信号のレベルに基づいて、アンテナの方向に対応する所定の告知を行うための信号である第２の信号を生成する生成手段と、第２の信号を、ケーブルを介して出力する出力手段とケーブルを介して出力手段より供給される、第２の信号を抽出する抽出手段と、抽出手段により抽出された第２の信号に対応して所定の告知を行う告知手段とを備えることを特徴とする。
【００１８】
請求項１２に記載のアンテナ方向調整方法は、ケーブルを介して入力される第１の信号のレベルを検出し、第１の信号を復調し、復調した第１の信号のエラーレートを検出し、第１の信号のエラーレートを検出することができない場合、第１の信号のエラーレートを検出することができないことを示すアンロック信号を検出し、復調した第１の信号のエラーレートを検出した場合、検出した第１の信号のエラーレートに基づいて、アンテナの方向に対応する所定の告知を行うための信号である第２の信号を生成し、アンロック信号を検出した場合、検出した第１の信号のレベルに基づいて、アンテナの方向に対応する所定の告知を行うための信号である第２の信号を生成し、第２の信号を、ケーブルを介して出力し、ケーブルを介して供給される、第２の信号を抽出し、抽出した第２の信号に対応して所定の告知を行うことを特徴とする。
【００１９】
【作用】
請求項１に記載の受信装置においては、復調手段が、ケーブルを介して入力される第１の信号のレベルを検出すると共に、第１の信号を復調し、検出手段が、復調手段により復調された第１の信号のエラーレートを検出し、第１の信号のエラーレートを検出することができない場合、第１の信号のエラーレートを検出することができないことを示すアンロック信号を検出し、生成手段が、検出手段により、復調された第１の信号のエラーレートが検出された場合、検出された第１の信号のエラーレートに基づいて、アンテナの方向に対応する所定の告知を行うための信号である第２の信号を生成し、検出手段により、アンロック信号が検出された場合、検出された第１の信号のレベルに基づいて、アンテナの方向に対応する所定の告知を行うための信号である第２の信号を生成し、出力手段が、第２の信号を、ケーブルを介して出力する。
【００２０】
請求項５に記載の信号復調方法においては、ケーブルを介して入力される第１の信号のレベルが検出され、第１の信号が復調され、復調された第１の信号のエラーレートが検出され、第１の信号のエラーレートを検出することができない場合、第１の信号のエラーレートを検出することができないことを示すアンロック信号が検出され、復調された第１の信号のエラーレートが検出された場合、検出された第１の信号のエラーレートに基づいて、アンテナの方向に対応する所定の告知を行うための信号である第２の信号が生成され、アンロック信号が検出された場合、検出された第１の信号のレベルに基づいて、アンテナの方向に対応する所定の告知を行うための信号である第２の信号が生成され、第２の信号が、ケーブルを介して出力される。
【００２１】
請求項６に記載のアンテナ装置おいては、所定の方向より伝送される信号である第１の信号を受信し、受信した第１の信号をケーブルを介して受信装置に出力するアンテナ装置であって、復調手段が、ケーブルを介して入力される第１の信号のレベルを検出すると共に、第１の信号を復調し、検出手段が、復調手段により復調された第１の信号のエラーレートを検出し、第１の信号のエラーレートを検出することができない場合、第１の信号のエラーレートを検出することができないことを示すアンロック信号を検出し、生成手段が、検出手段により、復調された第１の信号のエラーレートが検出された場合、検出された第１の信号のエラーレートに基づいて、アンテナの方向に対応する所定の告知を行うための信号である第２の信号を生成し、検出手段により、アンロック信号が検出された場合、検出された第１の信号のレベルに基づいて、アンテナの方向に対応する所定の告知を行うための信号である第２の信号を生成し、出力手段が、第２の信号を、ケーブルを介して出力する受信装置から第２の信号が供給されるアンテナ装置において、抽出手段が、ケーブルを介して受信装置より供給される、第２の信号を抽出し、告知手段が、抽出手段により抽出された第２の信号に対応して所定の告知を行う。
【００２２】
請求項１０に記載のアンテナ方向調整方法においては、所定の方向より伝送される信号である第１の信号を受信し、受信された第１の信号をケーブルを介して受信装置に出力するアンテナ装置であって、復調手段が、ケーブルを介して入力される第１の信号のレベルを検出すると共に、第１の信号を復調し、検出手段が、復調手段により復調された第１の信号のエラーレートを検出し、第１の信号のエラーレートを検出することができない場合、第１の信号のエラーレートを検出することができないことを示すアンロック信号を検出し、生成手段が、検出手段により、復調された第１の信号のエラーレートが検出された場合、検出された第１の信号のエラーレートに基づいて、アンテナの方向に対応する所定の告知を行うための信号である第２の信号を生成し、検出手段により、アンロック信号が検出された場合、検出された第１の信号のレベルに基づいて、アンテナの方向に対応する所定の告知を行うための信号である第２の信号を生成し、出力手段が、第２の信号を、ケーブルを介して出力する受信装置から第２の信号が供給されるアンテナ装置の方向を調整するアンテナ方向調整方法において、ケーブルを介して受信装置より供給される、第２の信号が抽出され、抽出された第２の信号に対応して所定の告知が行われる。
【００２３】
請求項１１に記載の受信システムにおいては、復調手段が、ケーブルを介して入力される第１の信号のレベルを検出すると共に、第１の信号を復調し、検出手段が、復調手段により復調された第１の信号のエラーレートを検出し、第１の信号のエラーレートを検出することができない場合、第１の信号のエラーレートを検出することができないことを示すアンロック信号を検出し、生成手段が、検出手段により、復調された第１の信号のエラーレートが検出された場合、検出された第１の信号のエラーレートに基づいて、アンテナの方向に対応する所定の告知を行うための信号である第２の信号を生成し、検出手段により、アンロック信号が検出された場合、検出された第１の信号のレベルに基づいて、アンテナの方向に対応する所定の告知を行うための信号である第２の信号を生成し、出力手段が、第２の信号を、ケーブルを介して出力する。また、抽出手段は、ケーブルを介して出力手段より供給される、第２の信号を抽出し、告知手段は、抽出手段により抽出された第２の信号に対応して所定の告知を行う。
【００２４】
請求項１２に記載のアンテナ方向調整方法おいては、ケーブルを介して入力される第１の信号のレベルが検出され、第１の信号が復調され、復調された第１の信号のエラーレートが検出され、第１の信号のエラーレートを検出することができない場合、第１の信号のエラーレートを検出することができないことを示すアンロック信号が検出され、復調された第１の信号のエラーレートが検出された場合、検出された第１の信号のエラーレートに基づいて、アンテナの方向に対応する所定の告知を行うための信号である第２の信号が生成され、アンロック信号が検出された場合、検出された第１の信号のレベルに基づいて、アンテナの方向に対応する所定の告知を行うための信号である第２の信号が生成され、第２の信号が、ケーブルを介して出力され、ケーブルを介して供給される、第２の信号が抽出され、抽出された第２の信号に対応して所定の告知が行われる。
【００２５】
【実施例】
図１は本発明の受信装置の構成例を表している。この実施例においては、衛星５０を介して伝送される電波が、パラボラアンテナ５１で受信されるようになされている。このパラボラアンテナ５１は、架台５３に支持され、任意の方向にパラボラアンテナ５１を指向させ、その位置で固定することができるようになされている。パラボラアンテナ５１は、コンバータ５２を有し、受信した信号を所定の中間周波信号（ＩＦ信号）に変換し、ＩＦケーブル５５を介して出力するようになされている。また、このコンバータ５２には、ＬＥＤ５４が取り付けられている。
【００２６】
家屋６１の屋外に配置されたパラボラアンテナ５１の出力は、ＩＦケーブル５５を介して、家屋６１の内部に配置されたレシーバ７１に供給されるようになされている。そして、レシーバ７１の出力が、テレビジョン受像機７２に供給されている。
【００２７】
図２は、コンバータ５２と、レシーバ７１のより詳細な構成例を表している。コンバータ５２においては、パラボラアンテナ５１の１次ホーン５１ａより取り込まれた信号が、ＲＦ回路８１に供給されるようになされている。このＲＦ回路８１は、図６におけるバンドパスフィルタ４１、増幅器４２、周波数変換器４３、および中間周波増幅器４４に対応する回路を内蔵しており、衛星５０より受信した信号の周波数を、ＩＦ信号に変換して、ＩＦケーブル５５を介してレシーバ７１に出力するようになされている。
【００２８】
また、このコンバータ５２には、バンドパスフィルタ（ＢＰＦ）８２（抽出手段）が設けられている。このバンドパスフィルタ８２は、ＲＦ回路８１が出力するＩＦ信号を抽出せず、後述するレシーバ７１のパルス変調部９５が出力する４８ｋＨｚの周波数の成分を抽出する。ＩＦ信号の周波数は、９５０ＭＨｚ乃至１７７０ＭＨｚといった、ほぼ１ＧＨｚ帯域の信号であるから、バンドパスフィルタ８２は、ＲＦ回路８１からＩＦケーブル５５に伝送される信号と、ＩＦケーブル５５から伝送されてくる信号とを容易に分離することができる。
【００２９】
バンドパスフィルタ８２の出力は、ＡＧＣ検波回路８３に入力され、検波されるようになされている。そして、その検波出力が、ＬＥＤ駆動回路８４に供給され、ＬＥＤ５４（告知手段）を駆動するようになされている。
【００３０】
一方、レシーバ７１においては、チューナ部９１（復調手段）がＩＦケーブル５５より供給されるＩＦ信号を復調し、復調した結果得られるデータをデジタル信号処理部９２（検出手段）に出力するようになされている。デジタル信号処理部９２は、入力されたデジタルビデオデータとオーディオデータを処理し、所定の周波数のクロックでＤ／Ａ変換した後、処理した信号をテレビジョン受像機７２に出力するようになされている。
【００３１】
チューナ部９１はまた、ＩＦ信号を復調して得られるＡＧＣ信号を、コントロール部９３に出力するようになされている。デジタル信号処理部９２は、入力されたデジタルデータの誤りを訂正し、必要に応じて補正して出力するが、そのとき得られるビットエラーレート情報をコントロール部９３に出力している。コントロール部９３は、チューナ部９１より入力されるＡＧＣ信号と、デジタル信号処理部９２より入力されるビットエラーレート信号の少なくともいずれか一方を利用して、パラボラアンテナ５１の方向を検出する。
【００３２】
すなわち、パラボラアンテナ５１が衛星５０に対して正しく指向しているときと、正しく指向していないときとでは、ＡＧＣ信号のレベルが変化する。また、同様にビットエラーレートも、パラボラアンテナ５１が衛星５０に対して、正しく指向しているとき最も小さな値となり、正しく指向していないときその値は大きくなる。従って、コントロール部９３は、これらの信号からパラボラアンテナ５１の指向する方向を検出することができる。
【００３３】
このコントロール部９３にはまた、入力部９４のキーあるいはボタンなどを操作するか、あるいはリモートコマンダ（図示せず）を操作することで、所定の指令を入力することができるようになされている。
【００３４】
パルス変調部９５には、デジタル信号処理部９２からデジタルオーディオデータのＤ／Ａ変換に用いられる４８ｋＨｚの周波数のクロックが供給されている。また、コントロール部９３より、パルス変調部９５に、パラボラアンテナ５１の指向する方向に対応するパルス信号が供給されている。パルス変調部９５（出力手段）は、コントロール部９３より入力されるパルス信号で、デジタル信号処理部９２より供給される４８ｋＨｚのキャリア（クロック）をパルス変調し、出力するようになされている。
【００３５】
電源部９８は、コイル９９、ＩＦケーブル５５を介して、コンバータ５２の各回路において必要な直流電圧を供給している。コイル９９は、電源部９８からの直流電圧をＩＦケーブル５５を介してコンバータ５２に供給すると共に、ＩＦケーブル５５を介してコンバータ５２よりチューナ９１に供給されるＩＦ信号が、電源部９８に供給されるのを阻止するために挿入されている。
【００３６】
パルス変調部９５より出力した変調信号は、コンデンサ９６、コイル９７を介して、電源部９８の直流電圧をコンバータ５２に供給する経路を利用して、すなわち、コイル９９とＩＦケーブル５５を介してコンバータ５２に供給されるようになされている。コンデンサ９６は、電源部９８の出力する直流電圧が、パルス変調部９５に供給されるのを阻止するためのものであり、コイル９７は、ノイズを除去するためのものである。
【００３７】
次に、その動作について説明する。パラボラアンテナ５１の方向を調整する者は、最初に入力部９４を操作して、コントロール部９３に所定のチャンネルの信号の受信を指令する。コントロール部９３は、この指令に対応して、チューナ部９１を制御し、指令に対応するチャンネルの受信動作を実行させる。
【００３８】
パラボラアンテナ５１は、衛星５０より伝送されてくる電波を受信し、ＲＦ回路８１は、その受信した信号を所定の周波数のＩＦ信号に変換して出力する。このＩＦ信号は、ＩＦケーブル５５を介してレシーバ７１のチューナ部９１に入力される。チューナ部９１は、入力されたＩＦ信号を復調し、復調した結果得られたデジタルデータ（ビデオデータ、オーディオデータなどのデータ）をデジタル信号処理部９２に出力する。
【００３９】
デジタル信号処理部９２は、入力されたデジタルデータのビットエラーレートを検出し、そのビットエラーレートをコントロール部９３に出力する。コントロール部９３には、また、入力部９４を操作することで、受信場所（レシーバ７１の設置場所）、衛星の電波の強さ（等価等方放射電力ＥＩＲＰ：Ｅｑｕｉｖａｌｅｎｔ  Ｉｓｏｔｒｏｐｉｃａｌｌｙ  Ｒａｄｉａｔｅｄ  Ｐｏｗｅｒ）、アンテナの口径（性能指数（ＧＴ比））が予め入力されている。コントロール部９３は、この予め入力されているデータから、予想される最大受信ＣＮ比を演算する。そして、予想される最大ＣＮ比が予め設定されている第１の基準値より大きいとき、高ＣＮ比モードを設定し、第２の基準値（第１の基準値より小さい基準値）より小さいとき低ＣＮ比モードを設定し、第１の基準値と第２の基準値の間であるとき標準ＣＮ比モードを設定する。
【００４０】
あるいはまた、入力部９４から所定のモードを手動入力させるようにしてもよい。
【００４１】
コントロール部９３は、設定されたモードに基づいて、ビットエラーレートに対応するＣＮ比を求め、そのＣＮ比に対応するＬＥＤの点滅周期を決定する。すなわち、図３に示すように、高ＣＮ比モード、低ＣＮ比モード、または標準ＣＮ比モードのいずれのモードが設定されているかによって、受信ＣＮ比とＬＥＤの点滅周期との対応関係を変化させる。同一の受信ＣＮ比（ビットエラーレート）が得られる場合、高ＣＮ比モードにおける場合の方が、低ＣＮ比モードにおける場合より、ＬＥＤ５４の点滅周期が長い時間に設定される。標準ＣＮ比モードにおける点滅周期は、高ＣＮ比モードと低ＣＮ比モードの中間の点滅周期に設定される。
【００４２】
そして、この点滅周期は、人間（パラボラアンテナ５１の調整者）の視覚特性から、信号レベルの最大点を見つけ易いように、対数的に変化されるようになされている。
【００４３】
なお、図３の横軸には、受信ＣＮ比（ｄＢ）が表されているが、ビットエラーレートで直接表すことも可能である。
【００４４】
コントロール部９３は、このように、所定のビットエラーレートが得られたとき、それに対応する受信ＣＮ比を演算し、さらにそれに対応する点滅周期を決定する。そして、その点滅周期に対応するパルス信号をパルス変調部９５に出力する。
【００４５】
パルス変調部９５は、コントロール部９３より入力されるパルス信号で、デジタル信号処理部９２より供給される４８ｋＨｚのキャリアをパルス変調する。すなわち、パルス変調部９５の出力する変調信号は、ＬＥＤを点灯する区間、４８ｋＨｚの周波数のキャリアが存在し、ＬＥＤ５４を消灯する区間、そのキャリアが存在しない信号となる。この変調信号は、コンデンサ９６、コイル９７，９９、ＩＦケーブル５５を介して、コンバータ５２に供給される。
【００４６】
コンバータ５２においては、バンドパスフィルタ８２により、この変調信号成分が抽出され、検波回路８３に入力される。検波回路８３は、バンドパスフィルタ８２より入力された変調信号を検波し、元のパルス信号を生成する。そして、パルス信号をＬＥＤ駆動回路８４に出力する。ＬＥＤ駆動回路８４は、検波回路８３より入力されたパルス信号に対応して、ＬＥＤ５４を駆動する。すなわち、４８ｋＨｚのキャリアが存在する期間、ＬＥＤ５４は点灯され、キャリアが存在しない期間、ＬＥＤ５４は消灯される。
【００４７】
受信ＣＮ比は、パラボラアンテナ５１が正しく衛星５０に指向された状態になるほど大きな値となる（ビットエラーレートは小さくなる）ので、ＬＥＤ５４の点滅周期は、図３に示すように短くなる。従って、調整者は、ＬＥＤ５４の点滅周期が最も短くなるように（図３の実施例においては、０．２秒となるように）、パラボラアンテナ５１の方向を調整する。
【００４８】
ＬＥＤ５４は、コンバータ５２に取り付けられているため、調整者はテレビジョン受像機７２の表示状態をモニタすることなく、パラボラアンテナ５１の方向を正しい方向に一人で調整することができる。
【００４９】
なお、ビットエラーレートを得るには、デジタル信号処理部９２において、デジタルデータがクロックと同期している状態（ロック状態）である必要がある。図３に示す実施例においては、受信ＣＮ比が４ｄＢより小さいときアンロック状態となるため、正しいビットエラーレートを得ることができない。従って、パラボラアンテナ５１の方向を調整することができないことになる。すなわち、パラボラアンテナ５１が所定の角度以上、衛星５０の方向からずれると、いずれの方向に調整していいのかが不明となる。
【００５０】
そこでこの実施例においては、チューナ部９１が、ＩＦ信号を復調する際得られるＡＧＣ信号が、コントロール部９３に供給されている。コントロール部９３は、デジタル信号処理部９２によりアンロック信号が供給されているとき、ビットエラーレートに代えて、ＡＧＣ信号を基準にしてパルス信号を生成する。ＡＧＣ信号のレベルも、受信場所、ＥＩＲＰ、ＧＴ比などによって変化する。従って、この場合においても、コントロール部９３は、図３に示した場合と同様に、各モードに対応してＬＥＤの点滅周期を設定する。その結果、調整者は、この場合においても、ＬＥＤ５４の点滅周期から、その周期が最も短くなるように、パラボラアンテナ５１の方向を調整することができる。
【００５１】
なお、ビットエラーレート情報を用いずに、ＡＧＣ信号だけを用いても、パラボラアンテナ５１を衛星５０に対して、正しく指向させることができるのはもとよりである。
【００５２】
ビットエラーレートを用いた場合においては、入力部９４を操作して指令した所定のチャンネルの受信状態に対応するビットエラーレートが得られるので、複数の衛星が存在する場合であっても、異なるシステムの衛星に対して、パラボラアンテナ５１が誤って指向されてしまうようなことが防止される。
【００５３】
また、レシーバ７１側でパラボラアンテナ５１の方向を判定するようにすると、レシーバ７１側のコントロール部９３を用いて、図３に示すようなモード毎の調整を初めとして、より木目の細かい方向調整をすることが可能となる。
【００５４】
コントロール部９３において、どのような判定を行うかは、コントロール部９３をＣＰＵなどにより構成する場合においては、そのプログラムに予め記述しておけばよい。
【００５５】
なお、図３の実施例においては、受信ＣＮ比が４ｄＢ以下であるとき、ＬＥＤの点滅周期を２．０秒で一定とするようにしたので、結局ビットエラーレートを用いて調整を行う場合においては、パラボラアンテナ５１が衛星５０からの電波を受信していないか、受信していたとしても、そのレベルが極めて小さい場合においては、ＬＥＤ５４は２．０秒の周期で点滅する。そして、衛星５０からの電波をある程度以上のレベルでとらえることができるようになったとき、点滅周期が次第に短くなり、所定のレベル以上の電波を受信することができる状態になったとき、点滅周期は０．１秒とされる。
【００５６】
パラボラアンテナ５１の方向調整が完了したとき、入力部９４を操作して、調整操作の終了を指令する。このとき、コントロール部９３は、パルス変調部９５に対してパルス信号の供給を停止する。従って、ＬＥＤ５４は、消灯したままの状態となる。
【００５７】
なお、以上の実施例においては、アンテナの指向する方向をＬＥＤ５４の点滅周期で調整者に告知するようにしたが、ブザーなどの音声信号の大きさ、発生周期などにより、パラボラアンテナ５１の方向を調整者に告知するようにすることも可能である。
【００５８】
図４は、他の実施例を表している。この実施例においては、レシーバ７１が、複数のシステムの信号を復調することができるように構成されている。すなわち、レシーバ７１は、衛星５０Ａを介して放送されてくる信号も復調可能であり、また、衛星５０Ｂを介して放送されてくる信号も復調することができるように構成されている。この場合、パラボラアンテナ５１Ａが衛星５０Ａに指向され、パラボラアンテナ５１Ｂが衛星５０Ｂに指向される。
【００５９】
そして、パラボラアンテナ５１Ａのコンバータ５２Ａの出力が、ＩＦケーブル５５Ａを介して信号切換器１１１の一方の入力に供給され、パラボラアンテナ５１Ｂのコンバータ５２Ｂの出力が、ＩＦケーブル５５Ｂを介して信号切換器１１１の他方の入力に供給される。信号切換器１１１は、ＩＦケーブル５５Ａ、またはＩＦケーブル５５Ｂからの信号を選択し、ＩＦケーブル５５Ｃを介してレシーバ７１に出力する。そして、ＬＥＤ５４（従って、図２に示すバンドパスフィルタ８２、検波回路８３および駆動回路８４）は、信号切換器１１１に配置されている。この信号切換器１１１は、屋外であって、パラボラアンテナ５１Ａ，５１Ｂの近傍（調整者から見える位置）に配置される。
【００６０】
この実施例の場合においては、例えば入力部９４を操作して、チューナ部９１に衛星５０Ａを介して放送されるチャンネルの１つの受信を指令する。そして、上述した場合と同様に、ＬＥＤ５４の点滅周期が、最も短くなる方向にパラボラアンテナ５１Ａを調整する。
【００６１】
次に、入力部９４を操作して、チューナ部９１に衛星５０Ｂを介して放送される１つのチャンネルの受信を指令する。そしてその状態において、ＬＥＤ５４の点滅周期が最も短くなるように、パラボラアンテナ５１Ｂの方向を調整する。
【００６２】
この場合、レシーバ７１は、図２に示したチューナ部９１とデジタル信号処理部９２を、それぞれ２つ有している。すなわち、衛星５０Ａからの信号を受信するためのチューナ部９１Ａと、デジタル信号処理部９２Ａ、並びに衛星５０Ｂを介して放送される信号を復調するためのチューナ部９１Ｂとデジタル信号処理部９２Ｂを有している。
【００６３】
それぞれのチューナ９１Ａ，９１Ｂが対応するシステムの衛星５０Ａ，５０Ｂからの信号を復調する際に得られるビットエラーレートとＡＧＣ信号を用いて、それぞれのパラボラアンテナ５１Ａ，５１Ｂの調整を行うので、パラボラアンテナ５１Ａを他のシステムの衛星５０Ｂに指向させてしまったり、パラボラアンテナ５１Ｂを他のシステムの衛星５０Ａに指向させてしまうようなことがなくなる。
【００６４】
なお、以上の実施例においては、パラボラアンテナ５１を衛星５０に指向させる場合と例として説明したが、地上に配置されている送信側のアンテナに指向させるようにする場合においても、本発明は適用することが可能である。
【００６５】
【発明の効果】
以上の如く請求項１に記載の受信装置、および請求項５に記載の信号復調方法によれば、ケーブルを介して入力される第１の信号のレベルを検出し、第１の信号を復調し、復調した第１の信号のエラーレートを検出し、第１の信号のエラーレートを検出することができない場合、第１の信号のエラーレートを検出することができないことを示すアンロック信号を検出し、復調した第１の信号のエラーレートを検出した場合、検出した第１の信号のエラーレートに基づいて、アンテナの方向に対応する所定の告知を行うための信号である第２の信号を生成し、アンロック信号を検出した場合、検出した第１の信号のレベルに基づいて、アンテナの方向に対応する所定の告知を行うための信号である第２の信号を生成し、第２の信号を、ケーブルを介して出力するようにしたので、簡単な構成で、安価な装置で、一人でアンテナの方向を調整することが可能となる。また、アンテナに対して、異なる方向から電波が供給されるような場合であっても、間違った方向にアンテナが指向されてしまうようなことを防止することができる。また、安価に、より木目の細かい調整が可能となる。
【００６６】
請求項６に記載のアンテナ装置、および請求項１０記載のアンテナ方向調整方法によれば、所定の方向より伝送される信号である第１の信号を受信し、受信した第１の信号をケーブルを介して受信装置に出力するアンテナ装置であって、ケーブルを介して入力される第１の信号のレベルを検出すると共に、第１の信号を復調する復調手段と、復調手段により復調された第１の信号のエラーレートを検出し、第１の信号のエラーレートを検出することができない場合、第１の信号のエラーレートを検出することができないことを示すアンロック信号を検出する検出手段と、検出手段により、復調された第１の信号のエラーレートが検出された場合、検出された第１の信号のエラーレートに基づいて、アンテナの方向に対応する所定の告知を行うための信号である第２の信号を生成し、検出手段により、アンロック信号が検出された場合、検出された第１の信号のレベルに基づいて、アンテナの方向に対応する所定の告知を行うための信号である第２の信号を生成する生成手段と、第２の信号を、ケーブルを介して出力する出力手段とを備える受信装置から第２の信号が供給されるアンテナ装置において、ケーブルを介して受信装置より供給される、第２の信号を抽出し、抽出した第２の信号に対応して所定の告知を行うようにしたので、アンテナ装置の構成を簡略化し、安価にして、方向調整が可能となる。
【００６７】
請求項１１に記載の受信システム、および請求項１２に記載のアンテナ方向調整方法によれば、ケーブルを介して入力される第１の信号のレベルを検出し、第１の信号を復調し、復調した第１の信号のエラーレートを検出し、第１の信号のエラーレートを検出することができない場合、第１の信号のエラーレートを検出することができないことを示すアンロック信号を検出し、復調した第１の信号のエラーレートを検出した場合、検出した第１の信号のエラーレートに基づいて、アンテナの方向に対応する所定の告知を行うための信号である第２の信号を生成し、アンロック信号を検出した場合、検出した第１の信号のレベルに基づいて、アンテナの方向に対応する所定の告知を行うための信号である第２の信号を生成し、第２の信号を、ケーブルを介して出力し、ケーブルを介して供給される、第２の信号を抽出し、抽出した第２の信号に対応して所定の告知を行うようにしたので、複数の方向から電波が供給されるような場合においても、正しい方向にアンテナを指向させることができる。また、正しい方向にアンテナが指向されたとき所定の告知が行われ、それ以外のときその告知が行われないといったような、２値的な告知ではなく、方向に対応して、より木目の細かい告知を行うことが可能となる。その結果、より迅速且つ確実に、方向調整を行うことが可能となる。
【図面の簡単な説明】
【図１】本発明の受信装置の構成例を示すブロック図である。
【図２】図１のコンバータ５２とレシーバ７１の構成例を示すブロック図である。
【図３】受信ＣＮ比とＬＥＤの点滅周期との関係を示す図である。
【図４】本発明の受信装置の他の構成例を示すブロック図である。
【図５】従来の受信装置の構成例を示すブロック図である。
【図６】図５の屋外用コンバータ部１２の構成例を示すブロック図である。
【符号の説明】
５０，５０Ａ，５０Ｂ  衛星
５１，５１Ａ，５１Ｂ  パラボラアンテナ
５２，５２Ａ，５２Ｂ  コンバータ
５３  架台
５４  ＬＥＤ
５５  ＩＦケーブル
６１  家屋
７１  レシーバ
７２  テレビジョン受像機
８１  ＲＦ回路
８２  バンドパスフィルタ
８３  検波回路
８４  ＬＥＤ駆動回路
９１  チューナ部
９２  デジタル信号処理部
９３  コントロール部
９４  入力部
９５  パルス変調部
【図１】
0003666513.tif 000002
【図２】
0003666513.tif 000003
【図３】
0003666513.tif 000004
【図４】
0003666513.tif 000005
【図５】
0003666513.tif 000006
【図６】
0003666513.tif 000007